(57)【要約】【課題】  多種類の転写材に対応しつつ、資材（像担持体）のライフを延ばすことを可能とする画像形成装置を提供すること。【解決手段】  分離部材の前記像担持体への圧着時間を転写材の種類により変更する制御手段を備えることを特徴とする画像形成装置。【選択図】        図２
2005070266.tif 000002
【特許請求の範囲】
【請求項１】
像担持体と、当該像担持体に対向して設けられ前記像担持体上に帯電を行う帯電手段と、前記像担持体に像露光を行い前記像担持体上に潜像を形成する露光手段と、前記像担持体上の潜像を可視画像とする現像手段と、当該現像手段により前記像担持体上に形成されたトナー像を転写材上に転写し、前記トナー像を有する転写材を分離する転写分離手段と、前記像担持体に近接しておかれ、その先端を像担持体に対し圧着・解除する分離部材と、転写材の種類の情報を入力する操作部と備える画像形成装置において、
前記分離部材の前記像担持体への圧着時間を転写材の種類により変更する制御手段を備えることを特徴とする画像形成装置。
【請求項２】
前記圧着時間の変更は、操作部から入力された転写材の種類の情報に基づいて行われることを特徴とする請求項１に記載の画像形成装置。
【請求項３】
像担持体と、当該像担持体に対向して設けられ前記像担持体上に帯電を行う帯電手段と、前記像担持体に像露光を行い前記像担持体上に潜像を形成する露光手段と、前記像担持体上の潜像を可視画像とする現像手段と、当該現像手段により前記像担持体上に形成されたトナー像を転写材上に転写し、前記トナー像を有する転写材を分離する転写分離手段と、前記転写手段により前記転写材上に転写されたトナー像を加熱定着する定着装置と、前記像担持体に近接しておかれ、その先端を像担持体に対し圧着・解除する分離部材と、前記転写分離手段から定着装置へ転写材を搬送する搬送部と、転写後、前記搬送部と分離部材の先端部との間の距離を測定するセンサによる制御手段とを備える画像形成装置において、
前記搬送部と転写材との間の距離が所定距離の場合における前記分離部材の像担持体への圧着時間をデフォルトの圧着時間としたとき、前記制御手段は、前記センサにより、前記搬送部と転写材との間の距離が前記所定距離を超えたことを検出した場合、前記分離部材の像担持体への圧着時間を、前記デフォルトの圧着時間より長くし、また、前記センサにより搬送部と転写材との間の距離が前記所定距離を下回ったことを検出した場合、分離部材の像担持体への圧着を中止することを特徴とする画像形成装置。
【請求項４】
前記制御手段は、前記分離部材の像担持体への圧着時間を前記デフォルトの圧着時間より長くする動作や前記分離部材の像担持体への圧着を中止する動作は、転写材が所定の給紙トレイから給紙され、且つ前記所定の給紙トレイ内の転写材がなくなるまでの期間中は、継続させ、他の給紙トレイから転写材の給紙が行われた場合や、前記所定の給紙トレイに転写材補給された時点では、前記デフォルトの圧着時間に復帰することを特徴とする請求項３に記載の画像形成装置。
【請求項５】
像担持体と、当該像担持体に対向して設けられ前記像担持体上に帯電を行う帯電手段と、前記像担持体に像露光を行い前記像担持体上に潜像を形成する露光手段と、前記像担持体上の潜像を可視画像とする現像手段と、当該現像手段により前記像担持体上に形成されたトナー像を転写材上に転写し、前記トナー像を有する転写材を分離する転写分離手段と、前記転写手段により前記転写材上に転写されたトナー像を加熱定着する定着装置とを有し、前記像担持体に近接しておかれ、その先端を像担持体に対し圧着・解除する分離爪駆動ユニットを有する分離部材と、前記転写分離手段から定着装置へ転写材を搬送する搬送部と、転写後、前記搬送部と分離部材の先端部との間の距離を測定するセンサによる制御手段とを備える画像形成装置において、
前記制御手段は、前記センサにより、前記搬送部と転写材との間の距離がある値を超えたことを検出した場合、前記分離爪駆動ユニットの電流値の値を所定量大きくすることを特徴とする画像形成装置。
【請求項６】
搬送部と転写材との間の距離が所定距離の場合における前記分離爪駆動ユニットの電流値をデフォルトの電流値としたとき、前記制御手段により、前記分離爪駆動ユニットの電流値を所定量大きくする動作は、転写材が所定の給紙トレイから給紙され、且つ前記所定の給紙トレイ内の転写材がなくなるまでの期間中は、継続させ、他の給紙トレイから転写材の給紙が行われた場合や、前記所定の給紙トレイに転写材が補給された時点では、前記分離爪駆動ユニットの電流値をデフォルトの電流値に復帰することを特徴とする請求項５に記載の画像形成装置。
【発明の詳細な説明】
【技術分野】
【０００１】
本発明は、複写機、プリンタ、ＦＡＸ等の電子写真方式の画像形成装置に関し、特に、転写材の分離部材を備える画像形成装置に関する。
【背景技術】
【０００２】
従来より、薄紙・再利用紙（裏紙）などの像担持体（感光体）からの分離性は、普通紙と比較すると悪い。そのため、前述したような転写材が静電的に分離し切れなかった場合の対策として、像担持体に対し圧着する分離部材（分離爪）が設けられるている。
【０００３】
また、転写材の種類や環境に応じて適正な転写分離手段の除電電流を転写材に付与することによって、トナーの再転写や転写材のクリーニング手段（クリーニングユニット）への突っ込みジャム等の発生を防ぐことを可能とする分離部材を有する画像形成装置が知られている（特許文献１参照。）。
【０００４】
また、中間転写体を介して転写材の両面に画像形成を行う画像形成装置において、表裏の画像が良好な条件でトナー像の転写がなされるようにする分離部材を有する画像形成装置が知られている（特許文献２参照。）。
【特許文献１】特開平７−２６１５６４号公報
【特許文献２】特開２００１−５２５４号公報
【発明の開示】
【発明が解決しようとする課題】
【０００５】
しかしながら、上記画像形成装置に設けられている分離部材の圧着時間は、短いと分離性を向上させる効果が無く、長いと像担持体（感光体）のライフ（寿命）を短くしてしまうと言う欠点があり、多種類の転写材（記録紙）に対応しつつ、資材（像担持体）の寿命を延ばすという、ユーザーの要望に対し、応える事ができていないという欠点があった。
【０００６】
本発明は上記の不具合を解消し、多種類の転写材に対応して分離を確実なものとしつつ、資材（像担持体）のライフを延ばすことを可能とする画像形成装置を提供することを目的とする。
【課題を解決するための手段】
【０００７】
上記本発明の目的は下記の構成により達成される。
【０００８】
（１）像担持体と、当該像担持体に対向して設けられ前記像担持体上に帯電を行う帯電手段と、前記像担持体に像露光を行い前記像担持体上に潜像を形成する露光手段と、前記像担持体上の潜像を可視画像とする現像手段と、当該現像手段により前記像担持体上に形成されたトナー像を転写材上に転写し、前記トナー像を有する転写材を分離する転写分離手段と、前記像担持体に近接しておかれ、その先端を像担持体に対し圧着・解除する分離部材と、転写材の種類の情報を入力する操作部と備える画像形成装置において、前記分離部材の前記像担持体への圧着時間を転写材の種類により変更する制御手段を備えることを特徴とする画像形成装置（第１の発明）。
【０００９】
（２）像担持体と、当該像担持体に対向して設けられ前記像担持体上に帯電を行う帯電手段と、前記像担持体に像露光を行い前記像担持体上に潜像を形成する露光手段と、前記像担持体上の潜像を可視画像とする現像手段と、当該現像手段により前記像担持体上に形成されたトナー像を転写材上に転写し、前記トナー像を有する転写材を分離する転写分離手段と、前記転写手段により前記転写材上に転写されたトナー像を加熱定着する定着装置と、前記像担持体に近接しておかれ、その先端を像担持体に対し圧着・解除する分離部材と、前記転写分離手段から定着装置へ転写材を搬送する搬送部と、転写後、前記搬送部と分離部材の先端部との間の距離を測定するセンサによる制御手段とを備える画像形成装置において、前記搬送部と転写材との間の距離が所定距離の場合における前記分離部材の像担持体への圧着時間をデフォルトの圧着時間としたとき、前記制御手段は、前記センサにより、前記搬送部と転写材との間の距離が前記所定距離を超えたことを検出した場合、前記分離部材の像担持体への圧着時間を、前記デフォルトの圧着時間より長くし、また、前記センサにより搬送部と転写材との間の距離が前記所定距離を下回ったことを検出した場合、分離部材の像担持体への圧着を中止することを特徴とする画像形成装置（第２の発明）。
【００１０】
（３）像担持体と、当該像担持体に対向して設けられ前記像担持体上に帯電を行う帯電手段と、前記像担持体に像露光を行い前記像担持体上に潜像を形成する露光手段と、前記像担持体上の潜像を可視画像とする現像手段と、当該現像手段により前記像担持体上に形成されたトナー像を転写材上に転写し、前記トナー像を有する転写材を分離する転写分離手段と、前記転写手段により前記転写材上に転写されたトナー像を加熱定着する定着装置とを有し、前記像担持体に近接しておかれ、その先端を像担持体に対し圧着・解除する分離爪駆動ユニットを有する分離部材と、前記転写分離手段から定着装置へ転写材を搬送する搬送部と、転写後、前記搬送部と分離部材の先端部との間の距離を測定するセンサによる制御手段とを備える画像形成装置において、前記制御手段は、前記センサにより、前記搬送部と転写材との間の距離がある値を超えたことを検出した場合、前記分離爪駆動ユニットの電流値の値を所定量大きくすることを特徴とする画像形成装置（第３の発明）。
【００１１】
本発明は上記の如き構成をとることにより、多種類の転写材に対応しつつ、資材（像担持体）のライフを延ばすことを可能とする画像形成装置の提供を図るものである。
【発明の効果】
【００１２】
本発明によれば、多種類の転写材に対応しつつ、資材（像担持体）のライフを延ばすことが可能な画像形成装置の提供が可能となる。
【発明を実施するための最良の形態】
【００１３】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１４】
（１）本発明にかかわる分離部材を備える画像形成装置について、図１にて以下に述べる。
【００１５】
本発明にかかわる分離部材を備える画像形成装置は、画像処理後の画像データに従ってドラム状の像担持体としての感光体７０上に像露光を行うレーザ光学系からなる像露光手段としての露光装置５５と、感光体７０及びその周囲に、帯電手段としての帯電極５０、現像剤担持体を有する磁気ブラシ型現像装置からなる現像手段としての現像器８０、転写分離手段としての転写分離極１１０、クリーニング手段としてのクリーニングユニット６０と等の画像形成手段と、転写材上（記録紙１３０上）のトナー像を定着する定着装置９０とを有している。
【００１６】
不図示の画像読取装置により読み取られ、メモリに格納されている画像データが画像形成に応じて呼び出され、当該画像データに従って、例えば出力が４９０μＷ程度で半導体レーザからなるレーザ光学系を用いる露光装置５５により、外径が８０ｍｍで負帯電ＯＰＣからなる感光体７０上に像露光が行われる。
【００１７】
当該像露光に先立ち、矢印で示す時計方向にプロセス線速（線速度）３２０ｍｍ／ｓで回転される感光体７０は、スコロトロン方式で帯電電圧が−７５０Ｖ程度の帯電極５０のコロナ放電作用により所定の表面電位を付与されているが、像露光による潜像部位の電位が露光量に応じて減じ、結果として、画像データに応じた静電潜像が感光体７０上に形成される。
【００１８】
静電潜像は、接触式現像で負帯電トナーを用い、現像バイアスが−６００Ｖ（表面標準出力）程度で印加される現像器８０に設けられ、マグネット固定でスリーブ外径が４０ｍｍ程度の現像剤担持体としての現像ローラ（符号なし）により、帯電極性と同極性（本実施形態においては現像に使用されるトナー極性をマイナス極性とし、帯電極性をマイナス極性とする）のトナーを用いて反転現像され、可視化されたトナー像とされる。
【００１９】
一方、感光体７０上のトナー像の先端部が転写分離極１１０の転写領域に到達する前に、給紙トレイ３０１、３０２、３０３内の何れかから転写材としての記録紙１３０が、送り出しローラ（不図示）により給送されてレジストローラ（不図示）に到達し、先端規制される。
【００２０】
記録紙１３０は、トナー像、即ち感光体７０上の画像領域と重畳するように、同期を取って回転を開始するレジストローラ（不図示）により、給紙ガイド板１２０を通して転写手段および分離手段である転写分離極１１０の転写領域に向けて搬送される。
【００２１】
転写領域において、感光体７０上のトナー像は、コロトロン方式で正放電の転写電圧と、コロトロン方式で負放電の直流電圧にＡＣ電圧が重畳された分離電圧とが印加される転写分離極１１０の転写コロナ放電により記録紙１３０上への転写が行われ、当該記録紙１３０は転写分離極１１０の分離コロナ放電による除電により感光体７０から分離される。転写と同時にＬＥＤ露光による分離補助手段を設けてもよい。
【００２２】
トナー像が転写された記録紙１３０は、搬送部１００を通してヒートローラー方式で熱源が誘導加熱或いはハロゲンランプからなる定着装置９０に至り、定着装置９０の加熱ローラ（符号なし）と加圧ローラ（符号なし）との間で形成される定着ニップ部Ｎで加圧と加熱とにより、トナー像を形成するトナーが記録紙１３０上に定着され、当該記録紙１３０は、装置外部に排紙される。
【００２３】
転写後の感光体７０の周面上に残った転写残トナーは、例えば導電性ブラシを用いるクリーニングローラ（符号なし）と、クリーニング部材としてのクリーニングブレード（符号なし）とを備えるクリーニングユニット６０によりクリーニングされ、当該クリーニングユニット６０内に回収され、搬送スクリュー（不図示）によりトナー回収容器（不図示）に回収される。
【００２４】
感光体７０上の転写残トナーがクリーニングユニット６０により回収された後、画像形成装置は次の画像形成サイクルに入る。
【００２５】
なお、上記画像形成装置において、感光体７０の回転方向で、転写領域の下流側に分離爪駆動ユニット２０により駆動される分離爪３０が設けられる。また、上記画像形成装置の説明においては、モノクロ画像形成にて説明したが、カラー画像を形成する場合も本発明に含まれるものである。
【００２６】
（２）本発明にかかわる分離部材の圧着制御について、以下の各実施形態にて説明する。
【００２７】
（実施形態１）
本発明にかかわる分離部材の圧着制御の第１の例について、図２を用いて以下に説明する。
【００２８】
図２は、転写材（記録紙１３０）の種類の情報に基づいて分離部材としての分離爪３０の動作制御を変更する場合の構成を示すものである。図２に示すように、７０は感光体であり、３０は記録紙１３０を分離するための分離爪であり、２００は記録紙１３０の種類を入力するための操作部であり、１０は操作部２００からの情報を受け分離爪３０の動作制御を判断するＣＰＵであり、２０はＣＰＵ１０からの信号により分離爪３０を駆動するための分離爪駆動ユニットであり、５０は感光体７０を一様帯電する帯電極であり、６０は感光体７０上の転写残トナーをクリーニングするクリーニングユニットであり、８０は感光体７０上の潜像を現像する現像器であり、１００は分離後の記録紙１３０の定着装置９０への搬送部であり、３００は給紙トレイ３０１、３０２、３０３からなる給紙部であり、１２０は給紙部３００から給送された記録紙１３０を感光体７０の搬送するための給紙ガイド板であり、１３０の曲線は転写材としての記録紙である。
【００２９】
図２によれば、本発明は、像担持体（感光体７０）およびこれに近接しておかれ、その先端を感光体７０に対し圧着・解除する分離部材としての分離爪３０をもち、感光体７０に対向する帯電極５０、感光体７０へ転写材としての記録紙１３０が進入する際に記録紙１３０をガイドする給紙ガイド板１２０、前記給紙ガイド板１２０に記録紙１３０を送り込む給紙トレイ３０１、３０２、３０３からなる給紙部、転写分離手段としての転写分離極１１０から定着装置９０へ記録紙１３０を搬送する搬送部１００、記録紙１３０上のトナー像を記録紙１３０に定着させる定着装置９０とを有し、当該感光体７０に形成されたトナー像を可視画像とする現像手段としての現像器８０を備える画像形成装置において、分離爪３０の感光体７０への圧着時間を転写材の種類種によって変えるものであり、圧着時間のデフォルトの値（設定時に規定された値）は４２５ｍｓｅｃ程度であるが、前述したように分離しにくい薄紙・再利用紙（裏紙）などに記録紙１３０に対しては分離爪３０の圧着時間を３５０〜５００ｍｓｅｃ程度、好ましくは４２５ｍｓｅｃ程度と長くし、分離しやすい厚紙などは圧着を行わない。
【００３０】
このように、本発明は、分離爪駆動ユニット２０による分離爪３０の感光体７０への圧着時間を記録紙１３０の種類によって変えるものであり、分離爪３０の圧着時間を変える記録紙１３０の種類の情報は、操作部２００からの入力される記録紙１３０の種類の情報に基づいて行われる。これにより、分離性の悪い場合のみ、分離爪３０の感光体７０への圧着時間を記録紙１３０の種類によって変えることで、分離性能を犠牲にすることなく、資材（像担持体（感光体７０））のライフ（寿命）を延長することができる。
【００３１】
（実施形態２）
本発明にかかわる分離部材の圧着制御の第２の例について、図３を用いて以下に説明する。
【００３２】
図３は、センサ４０からの信号に基づいて分離部材としての分離爪３０の圧着時間の制御を変更する場合の（制御）構成を示すものである。７０は感光体であり、３０は記録紙１３０を分離するための分離爪であり、４０は搬送部１００と記録紙１３０との間の距離を測定するための反射式の光学式センサを用いるセンサであり、１０はセンサ４０からの距離の情報を受け分離爪３０の動作制御を行うＣＰＵであり、１１０は感光体７０上のトナー像を転写分離するための転写分離極であり、２０はＣＰＵ１０の信号を受けて分離爪３０を駆動するための分離爪駆動ユニットであり、５０は感光体７０を一様帯電する帯電極であり、６０は感光体７０上の転写残トナーをクリーニングするクリーニングユニットであり、８０は感光体７０上の潜像を現像する現像器であり、１００は分離後の記録紙１３０の定着装置９０への搬送部であり、３００は給紙トレイ３０１、３０２、３０３からなる給紙部であり、１２０は給紙部３００から給送された記録紙１３０を感光体７０の搬送するための給紙ガイド板であり、１３０の曲線は転写材としての記録紙であり、１０１は搬送部１００と分離爪３０の先端部との間の距離を隔てた転写材搬送部である。
【００３３】
図３によれば、本発明は、転写後、センサ４０により、搬送部１００と記録紙１３０の間の距離を測定し、搬送部１００と記録紙１３０の間の距離がある値（デフォルトの値）を超えた場合（即ち、搬送部１００から記録紙１３０が離れる場合、つまり＝記録紙１３０が感光体７０感光体に近づく場合＝）、４２４ｍｓｅｃ程度のデフォルトの圧着時間より長くする。また、搬送部１００と記録紙１３０の間の距離がデフォルトの値（設定時に規定された値）を下回った場合、分離爪３０の圧着を中止し、自動的に記録紙１３０の分離性に応じて、分離爪３０の圧着を変更する。
【００３４】
このように、本発明は、分離爪３０の感光体７０への圧着時間を、搬送部１００と記録紙１３０の間の距離が１０〜３０ｍｍ程度で、好ましくは２０ｍｍ程度のデフォルトの値を超えた場合（記録紙１３０が搬送部１００から離れる場合、つまり＝記録紙１３０が感光体７０に近づく場合＝）、分離爪３０の感光体７０への圧着時間をデフォルトの圧着時間、４２５ｍｓｅｃより長し、また、搬送部１００と記録紙１３０の間の距離が分離爪３０の圧着時間のデフォルトの値を下回った場合、分離爪３０の圧着を中止するものであり、分離爪３０のデフォルトの圧着時間より長くする動作や分離爪３０の圧着を中止する動作は、記録紙１３０が、例えば給紙された給紙トレイ３０１から給紙される際、且つ給紙トレイ３０１内の記録紙１３０がなくなるまでの期間は、分離爪３０の圧着時間の値を変更されたままとし、また給紙トレイ３０１以外の給紙トレイ３０２、３０３からの給紙や、一旦給紙トレイ３０１に記録紙１３０が無くなり記録紙１３０が給紙トレイ３０１に補給された時点では、分離爪３０のデフォルトの圧着時間に復帰させるようにするものである。これにより、分離性の悪い場合のみ、感光体７０に分離爪３０を圧着させることで、分離性能を犠牲にすることなく、資材（像担持体、つまり＝感光体７０＝）のライフ（寿命）を延長することができる。
【００３５】
（実施形態３）
本発明にかかわる分離部材の圧着制御の第３の例について、前述した図３を用いて以下に説明する。
【００３６】
また前述した図３は、センサ４０からの信号に基づいて分離部材としての分離爪３０を駆動する分離爪駆動ユニット２０の制御を変更する場合の構成を示すものである。７０は感光体であり、３０は記録紙１３０を分離するための分離爪であり、４０は搬送部１００と記録紙１３０との間の距離を測定するための反射式の光学式センサを用いるセンサであり、１０はセンサ４０からの距離の情報を受け分離爪３０の動作制御を行うＣＰＵであり、１１０は感光体７０上のトナー像を転写分離するための転写分離極であり、２０はＣＰＵ１０の信号を受けて分離爪３０を駆動するための分離爪駆動ユニットであり、５０は感光体７０を一様帯電する帯電極であり、６０は感光体７０上の転写残トナーをクリーニングするクリーニングユニットであり、８０は感光体７０上の潜像を現像する現像器であり、１００は分離後の記録紙１３０の定着装置９０への搬送部であり、３００は給紙トレイ３０１、３０２、３０３からなる給紙部であり、１２０は給紙部３００から給送された記録紙１３０を感光体７０の搬送するための給紙ガイド板であり、１３０の曲線は転写材としての記録紙であり、１０１は搬送部１００と分離爪３０の先端部との間の距離を隔てた転写材搬送部である。
【００３７】
図３によれば、本発明は、センサ４０により、搬送部１００と記録紙１３０の間の距離を測定し、搬送部１００と記録紙１３０の間の距離が１０〜３０ｍｍ程度で、好ましくは２０ｍｍ程度のある値（デフォルトの値、つまり＝設定時に規定された値＝）を超えた場合（即ち、搬送部１００から記録紙１３０が離れる場合、つまり＝記録紙１３０が感光体７０感光体に近づく場合＝）、転写後、分離爪駆動ユニット２０の電流値を、７０ｍＡ程度のデフォルトの電流値の値より所定量（５〜１０ｍＡ程度）大きく設定して分離しやすくする。
【００３８】
このように、本発明は、搬送部１００と記録紙１３０との間の距離が、１０〜３０ｍｍ程度で、好ましくは２０ｍｍ程度のある値（デフォルトの値）を超えた場合、分離爪駆動ユニット２０の電流値の値を、７０ｍＡ程度のデフォルトの値より５〜１０ｍＡ程度大きく設定するものであり、分離爪駆動ユニット２０の電流値を大きくする動作は、記録紙１３０が、例えば給紙された給紙トレイ３０１から給紙される際、且つ給紙トレイ３０１内の記録紙１３０がなくなるまでの期間は、分離爪駆動ユニット２０の電流値の値を変更されたままとし、また給紙トレイ３０１以外の給紙トレイ３０２、３０３からの給紙や、一旦、給紙トレイ３０１に記録紙１３０が無くなり記録紙１３０が給紙トレイ３０１に補給された時点では、分離爪駆動ユニット２０の電流値をデフォルトの電流値に復帰するするものである。これにより、分離性の悪い場合のみ、感光体７０に分離爪３０を圧着させることで、分離性能を犠牲にすることなく、資材（像担持体（感光体７０））のライフ（寿命）を延長することができ、また、分離爪駆動ユニットの電流値を調整することで、より分離性を確実なものとする。
【００３９】
上記の如く、本発明の如き構成をとることにより、多種類の転写材に対応しつつ、資材（像担持体）のライフを延ばすことが可能な画像形成装置が得られる。
【図面の簡単な説明】
【００４０】
【図１】本発明にかかわる分離部材を備える画像形成装置の一実施の形態の要部断面構成図である。
【図２】本発明の画像形成装置に用いられる分離部材の圧着制御の第１の例の概要構成図である。
【図３】本発明の画像形成装置に用いられる分離部材の圧着制御の第２の例および分離部材の圧着制御の第３の例の概要構成図である。
【符号の説明】
【００４１】
１０  ＣＰＵ
２０  分離爪駆動ユニット
３０  分離爪
４０  センサ
５０  帯電極
５５  露光光学系
６０  クリーニングユニット
７０  感光体
８０  現像器
９０  定着装置
１００  搬送部
１０１  転写材搬送部
１１０  転写分離極
１２０  給紙ガイド板
１３０  記録紙
２００  操作部
３０１，３０２，３０３  給紙トレイ
Ｎ  定着ニップ部
【図１】
2005070266.tif 000003
【図２】
2005070266.tif 000004
【図３】
2005070266.tif 000005